【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
固定刃と、
前記固定刃に対して移動し紙を切断する可動刃と、
対向する面を有し前記紙を排出する紙出口と、を備え、
前記紙出口の下側の面を規定しているステージ面を備えており、
前記ステージ面には、突出部が少なくとも一つ設けられており、
前記ステージ面の紙の排出方向の下流側には、前記排出方向に向かって下方に延びている傾斜ガイド面が形成されていることを特徴とするオートカッター。
【請求項２】
請求項１に記載のオートカッターにおいて、
前記突出部は、前記可動刃よりも前記排出方向の下流側の位置にあることを特徴とするオートカッター。
【請求項３】
請求項１に記載のオートカッターにおいて、
前記突出部の先端は、前記固定刃の刃先よりも低い位置にあることを特徴とするオートカッター。
【請求項４】
請求項１に記載のオートカッターにおいて、
前記可動刃は、一方の端部を旋回中心として旋回するようになっており、
前記突出部は、少なくとも、前記ステージ面の前記旋回中心側に設けられていることを特徴とするオートカッター。
【請求項５】
請求項１に記載のオートカッターにおいて、
前記突出部は、前記ステージ面における前記排出方向の上流側に形成されていることを特徴とするオートカッター。
【請求項６】
請求項１に記載のオートカッターにおいて、
前記突出部は、前記ステージ面に一体形成された突起であることを特徴とするオートカッター。
【請求項７】
請求項１に記載のオートカッターにおいて、
前記ステージ面上を通過する前記紙の前記可動刃の旋回中心側を規定しており、前記ステージ面上で紙幅方向に移動可能な第１側壁と、
前記紙の前記可動刃の先端側を規定している第２側壁とを有しており、
前記第１側壁は、前記第２側壁の側に向かって突出する突起を備えており、この突起が前記突出部となっていることを特徴とするオートカッター。
【請求項８】
請求項７に記載のオートカッターにおいて、
前記ステージ面上を通過する前記紙の前記可動刃の旋回中心側を規定しており、前記ステージ面上で紙幅方向に移動可能な第１側壁と、
前記紙の前記可動刃の先端側を規定している第２側壁と、を有しており、
前記第２側壁を、前記第１側壁に連動して、当該第１側壁とは反対方向に同一量だけ前記紙幅方向に移動させるリンク機構を有しており、
前記第２側壁は、前記第１側壁の側に向いている内側面の上端部分が切り欠かれていることを特徴とするオートカッター。
【請求項９】
請求項１または８のうちのいずれかの項に記載のオートカッターにおいて、
前記突出部は、前記ステージ面から前記傾斜ガイド面に至るように前記排出方向に沿って形成された突部であり、
前記突部の上端面は、前記排出方向に向かって下方に傾斜していることを特徴とするオートカッター。
【請求項１０】
請求項１に記載のオートカッターを備え、
ケースと、
前記ケースに対し開閉するカバーを有し、
前記可動刃は前記ケース側に配置され、前記固定刃は前記カバー側に配置されていることを特徴とするオートカッター付きプリンター。
【手続補正２】
【補正対象書類名】明細書
【補正対象項目名】０００９
【補正方法】変更
【補正の内容】
【０００９】
上記の課題を解決するために、本発明は、
固定刃と、
前記固定刃に対して移動し紙を切断する可動刃と、
対向する面を有し前記紙を排出する紙出口と、を備え、
前記紙出口の下側の面を規定しているステージ面を備えており、
前記ステージ面には、突出部が少なくとも一つ設けられており、
前記ステージ面の紙の排出方向の下流側には、前記排出方向に向かって下方に延びている傾斜ガイド面が形成されていることを特徴とするオートカッターである。
また、前記突出部は、前記可動刃よりも前記排出方向の下流側の位置にあることを特徴とする。
また、前記突出部の先端は、前記固定刃の刃先よりも低い位置にあることを特徴とする。
【手続補正３】
【補正対象書類名】明細書
【補正対象項目名】００１０
【補正方法】変更
【補正の内容】
【００１０】
本発明によれば、紙出口の下側の面はステージ面によって規定されているので、固定刃と可動刃によって切断された紙の切断片はステージ面上に載置される。ここで、ステージ面内の可動刃と干渉しないように、可動刃の下流側のステージ面には突出部が設けられている。切断片がステージ面上に載置される際には、切断片はこの突出部を上から覆う状態になる。従って、切断片は、ステージ面上に載置された直後から、突出部によって不安定な状態にさせられる。この結果、安定を失った切断片は、ステージ面上に留まることなく、ステージ面の下流端縁に形成されている傾斜ガイド面に沿って落下する。また、前記突起部の先端は、前記固定刃の刃先よりも低い位置にあるので、切断片が下流側へ傾き易く、スムーズに滑り落ちていく。このように、切断片がステージ面上に堆積することがないので、堆積した切断片と可動刃とが干渉してカット不良が発生することを回避できる。また、可動刃が積層された切断片に食い込んでしまいロック状態に陥ることを回避できる。
【手続補正４】
【補正対象書類名】明細書
【補正対象項目名】００１１
【補正方法】変更
【補正の内容】
【００１１】
本発明において、前記可動刃は、一方の端部を旋回中心として旋回するようになっており、前記突出部は、少なくとも、前記ステージ面の前記旋回中心側に設けられていることが望ましい。すなわち、オートカッターが鋏式の場合には、ステージ面の可動刃の一方の端部側である旋回中心側は、旋回する可動刃によって長尺状の紙が先に切断される側であり、ステージ面上において切断片が先に載置される部分である。このような部分に突出部を設けておけば、切断片は、その一部分がステージ面上に載置される時点から不安定になるので、切断片を傾斜ガイド面に沿って落下させやすい。
【手続補正５】
【補正対象書類名】明細書
【補正対象項目名】００１２
【補正方法】変更
【補正の内容】
【００１２】
また、本発明において、前記突出部は、前記ステージ面における前記排出方向の上流側に形成されていることが望ましい。このような部分に突出部を設けておけば、突出部の位置が、載置される切断片の重心の位置よりも上流側に位置することが多くなるので、切断片のバランスが崩れ易く、切断片が傾斜ガイド面に沿って落下しやすい。
【手続補正６】
【補正対象書類名】明細書
【補正対象項目名】００１３
【補正方法】変更
【補正の内容】
【００１３】
ここで、前記突出部は、前記ステージ面に一体形成された突起とすることができる。
【手続補正７】
【補正対象書類名】明細書
【補正対象項目名】００１４
【補正方法】変更
【補正の内容】
【００１４】
また、前記ステージ面上を通過する前記紙の前記可動刃の旋回中心側を規定するもので、前記ステージ面上で紙幅方向に移動可能な第１側壁と、前記紙の前記可動刃の先端側を規定している第２側壁とを有しており、前記第１側壁は、前記第２側壁の側に向かって突出する突起を備えており、この突起が前記突出部となるように構成することもできる。このようにすれば、切断対象の紙の紙幅が変更された場合でも、第１側壁に形成されている突起は、常に、切断片によって上から覆われる位置に配置される。従って、ステージ面上に載置される切断片のバランスを崩すことができ易い。
【手続補正８】
【補正対象書類名】明細書
【補正対象項目名】００１５
【補正方法】変更
【補正の内容】
【００１５】
この場合において、前記第２側壁を、前記第１側壁に連動して、当該第１側壁とは反対方向に同一量だけ紙幅方向に移動させるリンク機構を有しており、前記第２側壁は、前記第１側壁の側に向いている内側面の上端部分が切り欠かれていることが好ましい。このようにすれば、先に切断される切断片の第１側壁の側が先に傾斜ガイド面に落下していったときに、切断片の第２側壁の側が第２側壁に乗り上げてしまうことを回避できるので、切断片が第２側壁に乗り上げた姿勢のままでステージ面上に停滞してしまうことを防止できる。
【手続補正９】
【補正対象書類名】明細書
【補正対象項目名】００１６
【補正方法】変更
【補正の内容】
【００１６】
ここで、前記突出部は、前記ステージ面から前記傾斜ガイド面に至るように前記排出方向に沿って形成された突部であり、前記突部の上端面は、前記排出方向に向かって下方に傾斜しているように構成してもよい。
【手続補正１０】
【補正対象書類名】明細書
【補正対象項目名】００１７
【補正方法】変更
【補正の内容】
【００１７】
次に、本発明は、ケースと、前記ケースに対し開閉するカバーを有し、前記可動刃は前記ケース側に配置され、前記固定刃は前記カバー側に配置されている上記のオートカッターが配置されているプリンターとすることができる。例えば、ロール紙を収納するためのロール紙収納部をケースに配置し、カバーを開けてロール紙をロール紙収納部にセットできるように、プリンターを構成する。可動刃をケース側に配置し、カバーの側に固定刃を取り付けておけば、カバーを開いてロール紙をセットすれば、固定刃と可動刃との間にロール紙から繰り出される紙を配置することが容易になる。  
【手続補正１１】
【補正対象書類名】明細書
【補正対象項目名】００１８
【補正方法】変更
【補正の内容】
【００１８】
本発明のオートカッター、およびオートカッター付きプリンターによれば、紙出口の下側はステージ面によって規定されているので、固定刃と可動刃によって切断された紙の切断片はステージ面上に載置される。ここで、ステージ面内の可動刃と干渉しないステージ面部分には突出部が設けられているので、切断片がステージ面上に載置される際には、切断片はこの突出部を上から覆う状態になる。従って、切断片は、ステージ面上に載置された直後から、突出部によって不安定な状態にさせられる。安定を失った切断片は、ステージ面上に留まることなく、ステージ面の下流端縁に形成されている傾斜ガイド面に沿って落下する。この結果、切断片がステージ面上に堆積することがないので、堆積した切断片と可動刃の刃先とが干渉してカット不良が発生することを回避できる。また、可動刃が積層された切断片に食い込んでしまいロック状態に陥ることを回避できる。